(57)【特許請求の範囲】
【請求項１】
所定枚数の用紙をまとめて綴じ、綴じた冊子を１対の紙折りローラーの間に付勢力を抗して該１対の紙折りローラーの間を拡げながら挿入し、かつ搬送して綴じ位置に沿った折りぐせを付ける冊子作成装置における用紙折り機構であって、
前記紙折りローラーを互いに相反する方向に回転させる駆動手段と、
一方の紙折りローラーの移動に追従して他方の紙折りローラーを相反する方向に移動させる移動手段、
を有する冊子作成装置における用紙折り機構。
【請求項２】
前記移動手段は、
一端部に前記紙折りローラーがそれぞれ支持され、他端部を回動軸心として回動する１対のスイングアームと、
前記回動軸心間に設けられ、前記一方のスイングアームの回動に応じて他方のスイングアームを相反する方向に同一角度回動させる連結手段と、
を備えたことを特徴とする請求項１記載の冊子作成装置における用紙折り機構。
【請求項３】
前記連結手段は、前記スイングアームのそれぞれの回動軸心に同軸に取り付けられた１対の歯車であることを特徴とする請求項２記載の冊子作成装置における用紙折り機構。
【発明の詳細な説明】
【０００１】
【発明の属する技術分野】
本発明は、冊子作成装置における用紙折り機構に係り、特に所定枚数の用紙をまとめて綴じ、綴じた冊子を１対の紙折りローラーの間に付勢力を抗して該１対の紙折りローラーの間を拡げながら挿入し、かつ搬送して綴じ位置に沿った折りぐせを付ける冊子作成装置における用紙折り機構に関する。
【０００２】
【従来の技術】
従来より、プリンタ等によって所望の印刷処理が施された用紙（図７（Ａ）参照）１００は、例えば製本装置等によって所定枚数毎に製本される。すなわち、例えば図７（Ｂ）に示されるように、所定枚数の用紙を中綴じして冊子１０２を作成するようになっている。なお、中綴じとは所定枚数の用紙１００を長辺の中央部付近（図７（Ａ）の鎖線参照）でまとめて中折りし、折り目に沿って綴じ金具１０４等で綴じる方法である。
【０００３】
また、製本装置には中綴じされた冊子１０２を再度折り目に沿って折り、折りぐせを付けるための用紙折り機構１０６が備えられている。すなわち、図７（Ａ）に示す鎖線に沿った折りぐせを付けるようになっている。
【０００４】
従来の用紙折り機構１０６には、図８（Ａ）に示されるように１対のローラー１０８Ａ、１０８Ｂによって構成された紙折りローラー１０８が設けられている。ローラー１０８Ｂは軸１２０Ｂの位置が固定され、軸１２０Ｂを中心として図８（Ａ）に示す矢印Ｋ方向に回転する（以下、ローラー１０８Ｂをドライブローラー１０８Ｂという）。すなわち、ドライブローラー１０８Ｂは予め定められた位置に固定されている。一方、ローラー１０８Ａはドライブローラー１０８Ｂの回転に伴って軸１２０Ａを中心として図８（Ａ）に示す矢印Ｊ方向に回転する（以下、ローラー１０８Ａをアイドラーローラー１０８Ａという）。このアイドラーローラー１０８Ａは軸直角方向に移動可能となっており、ドライブローラー１０８Ｂと接離方向に移動する。また、通常、紙折りローラー１０８はコイルバネ１２２によって、接触状態に保持されている。
【０００５】
さらに、紙折りローラー１０８を構成するアイドラーローラー１０８Ａとドライブローラー１０８Ｂの共通接線位置ａにはナイフブレード１２４が配設されている。このナイフブレード１２４によって冊子１０２が紙折りローラー１０８の間に挿入されると、コイルバネ１２２の付勢力に抗してアイドラーローラー１０８Ａがドライブローラー１０８Ｂから離れる方向（図８（Ａ）に示すＭ方向）に移動する。これにより、冊子１０２はコイルバネ１２２の付勢力によって紙折りローラー１０８に挟持される。このように、冊子１０２が紙折りローラー１０８に挟持搬送されることによって綴じ金具１０４の位置に沿った折りぐせを付けることができる。
【０００６】
【発明が解決しようとする課題】
しかしながら、ナイフブレード１２４によって押し出された冊子１０２が紙折りローラー１０８に接触すると、前述したようにアイドラーローラー１０８Ａはドライブローラー１０８Ｂから離れる方向（図８（Ａ）に示す矢印Ｍ方向）に移動する。このため、図８（Ｂ）に示されるように紙折りローラー１０８の隙間の中央位置ｂは紙折りローラー１０８の接触時における共通接線位置ａからずれる。
【０００７】
ここで、冊子１０２は紙折りローラー１０８の隙間の中央位置で折りぐせが付けられるようになっている。しかし、紙折りローラー１０８の隙間の中央位置ｂが紙折りローラー１０８の接触時における共通接線位置ａからずれることによって、冊子１０２の綴じ位置（綴じ金具１０４の位置）と紙折りローラー１０８における冊子１０２の折り位置（紙折りローラー１０８の中央位置ｂ）にずれが生じる。従って、冊子１０２の綴じ金具１０４の位置に沿った折りぐせを付けることができない。
【０００８】
このように冊子１０２の綴じ金具１０４の位置と用紙折り機構１０６における折り位置がずれることは、冊子１０２の厚みが増す程、顕著になる。なお、製本装置等の冊子作成装置における冊子１０２の仕上げを美しくするためには、綴じ金具１０４の位置と折り位置がずれることは大きな問題である。
【０００９】
本発明は上記事実を考慮して、紙折りローラーにおける冊子の折り位置と冊子の綴じ位置を精度良く一致させて冊子の綴じ位置に沿った折りぐせを正確に付けることができる冊子作成装置における用紙折り機構を提供することを目的とする。
【００１０】
【課題を解決するための手段】
上記目的を達成するために請求項１に記載の発明は、所定枚数の用紙をまとめて綴じ、綴じた冊子を１対の紙折りローラーの間に付勢力を抗して該１対の紙折りローラーの間を拡げながら挿入し、かつ搬送して綴じ位置に沿った折りぐせを付ける冊子作成装置における用紙折り機構であって、前記紙折りローラーを互いに相反する方向に回転させる駆動手段と、一方の紙折りローラーの移動に追従して他方の紙折りローラーを相反する方向に移動させる移動手段、を有している。
【００１１】
所定のプリント処理等が施された用紙は、所定枚数毎にまとめて綴じることによって冊子が作成される。例えば、用紙を長辺の中央部付近でまとめて中折りし、折り目に沿って綴じ金具（例えば、ホチキス）等を用いて綴じる（中綴じ）。また、綴じた冊子は再度綴じ位置に沿った折りぐせを付ける。
請求項１に記載の発明によれば、紙折りローラーを互いに相反する方向に回転させる駆動手段が設けられている。よって、冊子を１対のローラーによって構成された紙折りローラーの間を搬送させることによって折りぐせを付けることができる。このとき、紙折りローラーはそれぞれのローラーが接触するように付勢されている。従って、この付勢力に抗して１対の紙折りローラーの間を拡げながら冊子を挿入し、搬送して折りぐせを付ける。
また、１対の紙折りローラーは駆動手段による駆動力によって互いに相反する方向に回転するので、冊子を紙折りローラーとの間に噛み込ませた後は、紙折りローラーが冊子を送り込むため、単に冊子の押圧力で紙折りローラーを押し広げながら紙折りローラーとの間に冊子を送り込む場合に比べて、冊子の押圧力を低減することができる。その結果、冊子の変形や破損といった冊子に与えるダメージを軽減することができる。そして、これらの効果は、冊子の枚数が多くなり厚みが増すほど、強い押圧力が必要となるので、より有効である。
さらに、冊子作成装置における用紙折り機構には、紙折りローラーを移動させる移動手段が設けられている。この移動手段は、１対の紙折りローラーにおいて、一方の紙折りローラーの移動に追従して他方の紙折りローラーが相反する方向に移動させる。すなわち、１対の紙折りローラーは常に対称移動する。これにより、紙折りローラーが離反したときに生じる隙間の中央位置が常にこの紙折りローラーの接触時における共通接線位置と一致する。従って、紙折りローラーにおける冊子の折り位置と冊子の綴じ位置とを精度良く一致させ、冊子の綴じ位置に沿った折りぐせを正確に付けることができる。
【００１２】
請求項２に記載の発明は、前記移動手段は、一端部に前記紙折りローラーがそれぞれ支持され、他端部を回動軸心として回動する１対のスイングアームと、前記回動軸心間に設けられ、前記一方のスイングアームの回動に応じて他方のスイングアームを相反する方向に同一角度回動させる連結手段と、を備えたことを特徴としている。
【００１３】
請求項２に記載の発明によれば、１対の紙折りローラーを移動させる移動手段は、１対のスイングアームと連結手段によって構成されている。スイングアームは、一端部に紙折りローラーがそれぞれ支持され、他端部を回動軸心として回動する。このスイングアームは、連結手段によって連結されている。連結手段はスイングアームの回動軸心間に設けられている。例えば、連結手段としては歯車等が用いられる。このように１対のスイングアームを連結することにより、一方のスイングアームの回動に応じて他方のスイングアームが相反する方向に同一角度回動する。すなわち、１対のスイングアームは対称移動する。
【００１４】
従って、スイングアームが対称移動することにより、紙折りローラーが離反したときに生じる隙間の中央位置と紙折りローラーの接触時における共通接線位置とを常に一致させることができる。すなわち、紙折りローラーにおける冊子の折り位置と冊子の綴じ位置を精度良く一致させることができるので、冊子の綴じ位置に沿った折りぐせを付けることができる。
【００１５】
請求項３に記載の発明は、前記連結手段は、前記スイングアームのそれぞれの回動軸心に同軸に取り付けられた１対の歯車であることを特徴としている。
【００１６】
請求項３に記載の発明によれば、１対のスイングアームを連結する連結手段としては、１対の歯車が設けられている。この歯車は、それぞれのスイングアームにおける回動軸心に同軸に取り付けられる。このように連結手段として歯車を用いることにより常に歯車が噛み合っているため、１対のスイングアームの相対位置がずれることがない。従って、紙折りローラーが離反したときに生じる隙間の中央位置と紙折りローラーの接触時における共通接線位置とを常に一致させることができる。すなわち、紙折りローラーにおける冊子の折り位置と冊子の綴じ位置を精度良く一致させ、冊子の綴じ位置に沿った折りぐせを付けることができる。
【００１７】
【発明の実施の形態】
図１に示されるように、本実施の形態に係る冊子作成装置１０はプリンタ１２に接続されている。
【００１８】
プリンタ１２では、用紙１４に所定のプリント処理が施される。プリンタ１２によって所定のプリント処理が施された用紙１４は、プリンタ１２から排出されて所定枚数毎に冊子作成装置１０に搬送される。
【００１９】
冊子作成装置１０は、用紙綴じ部１０Ａ、用紙折り部１０Ｂ及び冊子仕上げ部１０Ｃによって構成されている。
【００２０】
用紙綴じ部１０Ａでは、プリンタ１２によって所定のプリント処理が施された所定枚数（複数枚）の用紙１４を綴じ金具２４（図２参照）で綴じる。なお、本実施の形態における用紙綴じ部１０Ａでは、所定枚数の用紙１４を中綴じするようになっている。すなわち、用紙１４を長辺の中央部近傍でまとめて中折りし、折り目に沿って綴じ金具２４で綴じるようになっている。なお、本実施の形態では折り目に沿った２箇所を綴じ金具２４によって綴じる。
【００２１】
用紙綴じ部１０Ａで綴じ金具２４によって綴じられた用紙１４、すなわち冊子２２（図２参照）の搬送方向（図１の矢印Ａ方向）下流側には、用紙折り部１０Ｂが配設されている。用紙折り部１０Ｂでは、用紙綴じ部１０Ａにおいて予め中綴じされた冊子２２の綴じ金具２４の位置に沿った折りぐせを付けるようになっている。
【００２２】
ここで、用紙折り部１０Ｂの詳細な構成を図２乃至図５に従って説明する。
図２に示されるように、用紙折り部１０Ｂには冊子２２の搬送経路としての搬送路１６が設けられている。この搬送路１６の一方は、用紙綴じ部１０Ａと連通している。すなわち、用紙綴じ部１０Ａにおいて中綴じされた冊子２２が搬送路１６に沿って搬送されるようになっている。但し、冊子２２は中央頁を見開いた状態で搬送され、かつ冊子２２を仕上げたときに内側となる頁部分が後述するナイフブレード２０と対向するように搬送される。また、搬送路１６の他方近傍にはストッパー１８が配設されている。このストッパー１８は、ストッパー取付台１８Ａに取り付けられ、冊子２２のサイズに対応する位置に移動可能に取り付けられている。すなわち、搬送路１６に沿って搬送された冊子２２における綴じ金具２４の位置が後述するナイフブレード２０の先端部と対向するようにストッパー１８の位置を調整することができるようになっている。
【００２３】
また、用紙折り部１０Ｂには搬送路１６に沿って搬送された冊子２２を図２に示す矢印Ｂ方向（搬送路１６における冊子２２の搬送方向に対して垂直方向）に押し出すためのナイフブレード２０が配設されている。ナイフブレード２０による冊子２２の押し出し時に、ナイフブレード２０の先端部は冊子２２の綴じ金具２４を押圧する。なお、ナイフブレード２０はモータ２０Ａ等の駆動手段によって駆動するようになっている。
【００２４】
ナイフブレード２０が配設された位置に対応する搬送路１６の一部には、切欠部２６が形成されている。これは、前述したようにナイフブレード２０によって冊子２２を搬送路１６から矢印Ｂ方向に押し出すためである。また、切欠部２６のナイフブレード２０側には、冊子２２の搬送を案内するためのガイド板２８が設けられている。通常、このガイド板２８は実線で示す位置に設定されているが、ナイフブレード２０が作動すると共に点線で示される位置に移動するようになっている。
【００２５】
さらに、ナイフブレード２０によって押し出される冊子２２の搬送方向（図２に示す矢印Ｂ方向）下流側には、搬送ローラー３０が配設されている。この搬送ローラー３０は、１対のゴムローラー３０Ａ、３０Ｂによって構成されている。搬送ローラー３０は、ナイフブレード２０によって押し出された冊子２２を１対のゴムローラー３０Ａ、３０Ｂの間に挟み込みながら後述する紙折りローラー３２の配設方向に搬送するようになっている。
【００２６】
搬送ローラー３０が配設された位置よりも冊子２２の搬送方向下流側には、１対のローラー３２Ａ、３２Ｂから構成された紙折りローラー３２が配設されている。この１対のローラー３２Ａ、３２Ｂの間を冊子２２が通過するようになっている。これによって、冊子２２を形成する用紙１４に折りぐせを付けることができる。
【００２７】
続いて、用紙折り部１０Ｂにおける紙折りローラー３２近傍の詳細な構成（用紙折り機構）を説明する。なお、紙折りローラー３２は前述したようにローラー３２Ａ、３２Ｂによって構成されている。これらのローラー３２Ａ、３２Ｂ近傍の詳細な構成についてはそれぞれ略同様であるので、本実施の形態においてはローラー３２Ａを中心に説明し、ローラー３２Ｂの近傍に関する詳細な説明は省略する。
【００２８】
図３及び図４に示されるように、紙折りローラー３２のローラー３２Ａは軸３４Ａによって軸支されている。この軸３４Ａは、スイングアーム４４Ａに形成された丸孔３５Ａを貫通している。軸３４Ａの先端部には伝達ギア３８Ａが取り付けられ、ローラー３２Ａと共に回転するようになっている。なお、軸３４Ａとスイングアーム４４Ａの接触位置には、ベアリング３６が設けられている。また、伝達ギア３８Ａと隣接して伝達ギア４０Ａが配設されている。この伝達ギア４０Ａは、一端がスイングアーム４４Ａに固定された軸４２Ａに取り付けられている。さらに、伝達ギア４０Ａと隣接する位置には伝達ギア４６Ａが配設されている。この伝達ギア４６Ａは、一端がフレーム５６（図４（Ａ）参照）に固定された軸４８Ａに取り付けられている。軸４８Ａには、動力チェーン５０が巻き掛けられたローラー５２が設けられている。すなわち、図示しないモーターによってローラー５２が回転すると同時に、伝達ギア４６Ａは軸４８Ａを中心として回転するようになっている。
【００２９】
伝達ギア３８Ａ、４０Ａ、４６Ａは、図５（Ａ）に示されるように所謂歯車であり、隣接した位置に配設された伝達ギアと噛み合うようになっている。従って、動力チェーン５０が図３に示す矢印Ｃ方向に駆動してローラー５２が回転することによって発生する駆動力は、伝達ギア４６Ａ、４０Ａ、３８Ａを介してローラー３２Ａに伝達される。これにより、ローラー３２Ａが図３に示される矢印Ｄ方向に回転する。
【００３０】
なお、伝達ギア４６Ａは軸４８Ｂに取り付けられた伝達ギア４６Ｂと噛み合うように配設されている。このため、駆動力は伝達ギア４６Ａ、４６Ｂ、４０Ｂ、３８Ｂを介してローラー３２Ｂに伝達される。すなわち、ローラー３２Ｂは図３に示される矢印Ｅ方向に回転する。
【００３１】
ここで、図５（Ｂ）を参照してスイングアーム４４Ａ、４４Ｂの作動機構について説明する。
【００３２】
ローラー５２及び伝達ギア４６Ａが取り付けられた軸４８Ａには、噛み合いギア５８Ａが備えられている。この噛み合いギア５８Ａは、スイングアーム４４Ａに固定されている。また、このスイングアーム４４Ａは軸４８Ａを回動軸心として回動するようになっている。一方、伝達ギア４６Ｂが取り付けられた軸４８Ｂには、噛み合いギア５８Ｂが備えられている。この噛み合いギア５８Ｂも噛み合いギア５８Ａと同様に、スイングアーム４４Ｂに固定されている。また、スイングアーム４４Ａは軸４８Ａを回動軸心として回動するようになっている。さらに、噛み合いギア５８Ａと噛み合いギア５８Ｂは、例えば歯車によって構成され、互いに噛み合うように配設されている。これにより、スイングアーム４４Ａ又はスイングアーム４４Ｂの一方が回動すると、これに応じて他方のスイングアーム４４Ｂ又はスイングアーム４４Ａが同一角度回動するようになっている。すなわち、スイングアーム４４Ａとスイングアーム４４Ｂは対称移動する。従って、紙折りローラー３２の中心位置ａ（図６参照）が紙折りローラー３２の接触時における共通接線位置と一致する。
【００３３】
なお、スイングアーム４４Ａ、４４Ｂに形成された丸孔３５Ａ、３５Ｂに紙折りローラー３２の回転軸である軸３４Ａ、３４Ｂが貫通されている。すなわち、スイングアーム４４Ａ、４４Ｂによって紙折りローラー３２が支持されている。従って、スイングアーム４４Ａ、４４Ｂが回動すると、紙折りローラー３２は円弧状に移動するようになっている。
【００３４】
さらに、スイングアーム４４Ａ、４４Ｂの端部に設けられた突起部５３Ａ、５３Ｂにはコイルバネ５４が掛止されている。従って、スイングアーム４４Ａ、４４Ｂは常に接触する方向に付勢されている。このため、紙折りローラー３２の間に冊子２２が挿入されることによって紙折りローラー３２は冊子２２をコイルバネ５４による付勢力で挟持することができる。
【００３５】
このようにしてスイングアーム４４Ａ、４４Ｂが対称移動することにより、紙折りローラー３２の中心位置ａが紙折りローラー３２の接触時における共通接線位置と一致するので、紙折りローラー３２による折り位置と冊子２２の綴じ金具２４の位置を精度良く一致させることができる。これによって、冊子２２の綴じ金具２４の位置に沿った折りぐせを正確に付けることができる。
【００３６】
こうして用紙折り部１０Ｂによって綴じ金具２４の位置に沿って折りぐせが付けられた冊子２２は、図１に示される冊子仕上げ部１０Ｃに搬送される。この冊子仕上げ部１０Ｃに搬送される冊子２２は、用紙１４の端面が不揃いとなっていることがある。これは、用紙綴じ部１０Ａによって所定枚数の用紙１４を綴じ金具２４で中綴じしたときに、用紙１４がずれたこと等の原因による。この用紙１４の端面のずれを解消するため、冊子仕上げ部１０Ｃにおいて冊子２２を予め定められた大きさに裁断して端面を揃える。
【００３７】
このようにして仕上げられた冊子２２は、冊子作成装置１０から排出されるようになっている。
【００３８】
次に、本実施の形態の作用を説明する。
ここでは、冊子作成装置１０における用紙折り部１０Ｂの作動状態について説明する。
【００３９】
プリンタ１２によって所定のプリント処理が施され、用紙綴じ部１０Ａによって所定枚数毎に中綴じされて作成された冊子２２は、搬送路１６に沿って用紙折り部１０Ｂに搬送される。
【００４０】
用紙折り部１０Ｂでは、図示しないセンサによって冊子２２の端部がストッパー１８に接触したことを検知すると、ガイド板２８が点線で示す位置に移動すると共に、ナイフブレード２０が所定方向に駆動する。ナイフブレード２０は、この先端部で冊子２２の綴じ金具２４位置を押圧し、冊子２２を搬送路１６から押し出す。搬送路１６から押し出された冊子２２は、搬送ローラー３０によって紙折りローラー３２が配設された方向に搬送される。
【００４１】
冊子２２が搬送されると、この冊子２２は紙折りローラー３２を押圧する。この押圧力によって、紙折りローラー３２は互いに離反する方向に移動される。これと同時に、紙折りローラー３２を支持するスイングアーム４４Ａ、４４Ｂも互いに離反する方向に移動される。このとき、スイングアーム４４Ａ、４４Ｂは噛み合いギア５８Ａ、５８Ｂによって連結されているため、図６（Ｂ）に示されるように対称移動する（Ｗ１＝Ｗ２）。すなわち、紙折りローラー３２の中心位置ａは常時一定の位置（紙折りローラー３２の接触時における共通接線位置）に維持される。従って、紙折りローラー３２の中心位置ａに冊子２２の綴じ金具２４の位置が対応するので、冊子２２の綴じ金具２４の位置に沿った折りぐせを正確に付けることができる。
【００４２】
以上のように、本実施の形態に係る冊子作成装置１０における用紙折り部１０Ｂでは、スイングアーム４４Ａ、４４Ｂの一方が回動すると、この回動に追従して他方のスイングアーム４４Ｂ、４４Ａが同一角度回動するので、紙折りローラー３２の中心位置ａは常時一定の位置に維持される。すなわち、紙折りローラー３２の中心位置ａは、紙折りローラー３２の接触時における共通接線位置と一致する。これによって、冊子２２の綴じ金具２４の位置と紙折りローラー３２による折り位置を精度良く一致させ、冊子２２の綴じ金具２４の位置に沿った折りぐせを正確に付けることができる。
【００４３】
なお、本実施の形態においては冊子２２を形成するにあたり、２箇所を綴じ金具２４によって止めて中綴じする場合を説明したが、綴じ金具２４によって止める箇所は２箇所に限定されるものではない。また、冊子２２を綴じる部材としては綴じ金具２４に限定されない。
【００４４】
また、本実施の形態における紙折りローラー３２は円弧状に移動する構成であるが、紙折りローラー３２の移動方向は円弧状に限るものではない。例えば、紙折りローラーが互いに軸直角方向に直線的に移動する構成としてもよい。この場合には、スイングアームに長孔を形成すると共に、紙折りローラーの回転軸を長孔に貫通させる。さらに、紙折りローラーの直線移動を回転移動に変換させることができる構成とする。このとき、スイングアームに形成される長孔は紙折りローラーの回転軸が遊嵌される大きさにすることが好ましい。
【００４５】
【発明の効果】
以上説明したように本発明によれば、一方の紙折りローラーの移動に追従して他方の紙折りローラーを相反する方向に移動させることにより、紙折りローラーによる折り位置と冊子の綴じ金具の位置を精度良く一致させ、かつ冊子の綴じ金具の位置に沿った折りぐせを正確に付けることができる、という優れた効果を有する。
【図面の簡単な説明】
【図１】本発明の実施の形態に係る冊子作成装置の全体構成を示す概略図である。
【図２】本発明の実施の形態に係る冊子作成装置の用紙折り部の構成を示す概略構成図である。
【図３】冊子作成装置の用紙折り機構の詳細を示す斜視図である。
【図４】冊子作成装置の用紙折り機構の要部構成を示す上面図である。
【図５】（Ａ）は伝達ギアを示す概略構成図であり、（Ｂ）はスイングアームの噛み合いギア部分を示す概略図である。
【図６】スイングアームの動作状態を示す概略図である。（Ａ）は動作前のスイングアームを示しており、（Ｂ）は動作時のスイングアームを示している。
【図７】（Ａ）は所定のプリント処理が施された用紙を示す正面図であり、（Ｂ）は所定枚数の用紙を中綴じした冊子を示す概略図である。
【図８】従来の冊子作成装置における用紙折り部の要部を示す構成図である。
【符号の説明】
１０    冊子作成装置
１０Ａ    用紙綴じ部
１０Ｂ    用紙折り部
１０Ｃ    冊子仕上げ部
１４    用紙
２２    冊子
２４    綴じ金具
３２    紙折りローラー
４４    スイングアーム（移動手段）
５６    圧力バネ
５８    噛み合いギア（移動手段、連結手段）
【図１】
0003752771.tif 000002
【図２】
0003752771.tif 000003
【図３】
0003752771.tif 000004
【図４】
0003752771.tif 000005
【図５】
0003752771.tif 000006
【図６】
0003752771.tif 000007
【図７】
0003752771.tif 000008
【図８】
0003752771.tif 000009